(57)【要約】【課題】より効果的にユーザのストレスを緩和することが可能な情報提供装置を提供すること。【解決手段】情報提供装置の一種であるＰＣ１００が、ユーザのストレスに関するストレス情報を入力する入力部１１０と、前記ストレス情報の内容および入力履歴の少なくとも一方に応じてストレス度を判定する判定部１３２と、前記ストレス度に応じてストレスを緩和するストレス緩和情報を、画像および音声の少なくとも一方を用いて出力する出力部１９０を含んで構成される。【選択図】図２
2010017451.tif 000002
【特許請求の範囲】
【請求項１】
ユーザのストレスに関するストレス情報を入力する入力部と、
前記ストレス情報の内容および入力履歴の少なくとも一方に応じてストレス度を判定する判定部と、
前記ストレス度に応じてストレスを緩和するストレス緩和情報を、画像および音声の少なくとも一方を用いて出力する出力部と、
を含み、
前記判定部は、前記ストレス情報の入力頻度が平均値よりも多い時間帯、前記入力頻度が最も多い時間帯、前記ストレス度が平均値よりも高い時間帯または前記ストレス度が最も高い時間帯であるストレス時間帯を判定するとともに、当該ストレス時間帯になったかどうか、あるいは、当該ストレス時間帯の直前になったかどうかを判定し、
前記出力部は、前記ストレス時間帯になった場合または前記ストレス時間帯の直前になった場合、前記ストレス緩和情報を出力する、
情報提供装置。
【請求項２】
ユーザのストレスに関するストレス情報を入力する入力部と、
前記ストレス情報の内容および入力履歴の少なくとも一方に応じてストレス度を判定する判定部と、
前記ストレス度に応じてストレスを緩和するストレス緩和情報を、画像および音声の少なくとも一方を用いて出力する出力部と、
を含み、
前記入力部は、
キーの押圧力を測定するキー押圧力測定部と、
前記押圧力に基づき、前記ストレス情報を生成するストレス情報生成部と、
を含む、
情報提供装置。
【請求項３】
ユーザのストレスに関するストレス情報を入力する入力部と、
前記ストレス情報の内容および入力履歴の少なくとも一方に応じてストレス度を判定する判定部と、
前記ストレス度に応じてストレスを緩和するストレス緩和情報を、画像および音声の少なくとも一方を用いて出力する出力部と、
を含み、
前記入力部は、
削除に関するキーが押される回数を測定する回数測定部と、
前記回数に基づき、前記ストレス情報を生成するストレス情報生成部と、
を含む、
情報提供装置。
【請求項４】
ユーザのストレスに関するストレス情報を入力する入力部と、
前記ストレス情報の内容および入力履歴の少なくとも一方に応じてストレス度を判定する判定部と、
前記ストレス度に応じてストレスを緩和するストレス緩和情報を、画像および音声の少なくとも一方を用いて出力する出力部と、
を含み、
前記入力部は、
ユーザの手の平または足裏と接触することによってツボごとの押圧力を測定するツボ押圧力測定部と、
前記押圧力に基づき、前記ストレス情報を生成するストレス情報生成部と、
を含む、
情報提供装置。
【請求項５】
請求項２〜４において、
前記判定部は、前記ストレス情報の入力頻度が平均値よりも多い時間帯、前記入力頻度が最も多い時間帯、前記ストレス度が平均値よりも高い時間帯または前記ストレス度が最も高い時間帯であるストレス時間帯を判定するとともに、当該ストレス時間帯になったかどうか、あるいは、当該ストレス時間帯の直前になったかどうかを判定し、
前記出力部は、前記ストレス時間帯になった場合または前記ストレス時間帯の直前になった場合、前記ストレス緩和情報を出力する、
情報提供装置。
【請求項６】
請求項１〜５のいずれかにおいて、
前記判定部は、前記ストレス情報の入力に関する値の合計値が基準値以上になったかどうかを判定し、
前記出力部は、当該判定の判定結果が真の場合に前記ストレス緩和情報を出力する、
情報提供装置。
【請求項７】
請求項１〜６のいずれかにおいて、
前記入力部は、ユーザによって複数種のストレス緩和情報から選択されたストレス緩和情報を示す選択情報を入力し、
前記出力部は、前記選択情報に基づき、ユーザにとって好ましいストレス緩和情報を出力する、
情報提供装置。
【発明の詳細な説明】
【技術分野】
【０００１】
本発明は、ユーザのストレスを緩和する情報を提供する情報提供装置に関する。
【背景技術】
【０００２】
例えば、ユーザが行う何らかの行動（例えば、話しかける、なでる等）に対して反応することによってユーザに癒しを与える人形等が存在する。また、例えば、特開２００６−３１０９０号公報では、利用者に対して癒しのパターンを選択させるガイダンスを行い、利用者がガイド音声等に対して言葉を発した場合に癒しの音声と画像を送信するカウンセリングシステムが提案されている。
【０００３】
また、特開平５−４９６２６号公報では、評価対象者の評価作業中の連続した生理データを計測する生理データ連続計測手段、評価作業前後での評価対象者の生理データの変化を計測する生理データ計測手段、評価作業前後での評価対象者の心理データを計測する心理データ計測手段、前記生理データ連続計測手段と前記生理データ計測手段とで計測されたデータを総合的に解析する生理データ解析手段、前記心理データ計測手段で計測されたデータを統計的に解析する心理データ解析手段、前記生理データ解析手段と前記心理データ解析手段とで解析されたデータからストレスの程度を評価するストレス評価手段、前記ストレス評価手段で評価されたストレスの程度から評価対象者に対してストレス解消の指示を与える指示手段が記載されている。
【特許文献１】特開２００６−３１０９０号公報
【特許文献２】特開平５−４９６２６号公報
【発明の開示】
【発明が解決しようとする課題】
【０００４】
しかし、これらの手法では、ストレスの発生する時間帯やストレスの発生している部位等も判定できないため、ユーザのストレスを緩和する効果が少ない。また、特開平５−４９６２６号公報の手法では、心拍数等を計測するための特殊な器具が必要になり、日常生活で発生するストレスの度合いを自然に判定することはできない。
【０００５】
本発明の目的は、より効果的にユーザのストレスを緩和することが可能な情報提供装置を提供することにある。
【課題を解決するための手段】
【０００６】
上記課題を解決するため、本発明に係る情報提供装置は、
ユーザのストレスに関するストレス情報を入力する入力部と、
前記ストレス情報の内容および入力履歴の少なくとも一方に応じてストレス度を判定する判定部と、
前記ストレス度に応じてストレスを緩和するストレス緩和情報を、画像および音声の少なくとも一方を用いて出力する出力部と、
を含み、
前記判定部は、前記ストレス情報の入力頻度が平均値よりも多い時間帯、前記入力頻度が最も多い時間帯、前記ストレス度が平均値よりも高い時間帯または前記ストレス度が最も高い時間帯であるストレス時間帯を判定するとともに、当該ストレス時間帯になったかどうか、あるいは、当該ストレス時間帯の直前になったかどうかを判定し、
前記出力部は、前記ストレス時間帯になった場合または前記ストレス時間帯の直前になった場合、前記ストレス緩和情報を出力することを特徴とする。
【０００７】
本発明によれば、情報提供装置は、ユーザのストレス度に応じてストレスを緩和するストレス緩和情報を出力することができるため、より効果的にユーザのストレスを緩和することができる。
【０００８】
また、本発明によれば、情報提供装置は、ストレス時間帯を判定することにより、ストレス時間帯になった場合等に自動的にストレス緩和情報を出力することができるため、より効果的にユーザのストレスを緩和することができる。
【０００９】
また、本発明に係る情報提供装置は、
ユーザのストレスに関するストレス情報を入力する入力部と、
前記ストレス情報の内容および入力履歴の少なくとも一方に応じてストレス度を判定する判定部と、
前記ストレス度に応じてストレスを緩和するストレス緩和情報を、画像および音声の少なくとも一方を用いて出力する出力部と、
を含み、
前記入力部は、
キーの押圧力を測定するキー押圧力測定部と、
前記押圧力に基づき、前記ストレス情報を生成するストレス情報生成部と、
を含むことを特徴とする。
【００１０】
本発明によれば、情報提供装置は、特殊な装置を用いることなくユーザのストレス度を判定することができる上、ユーザのストレス度に応じてストレスを緩和するストレス緩和情報を出力することができるため、より効果的にユーザのストレスを緩和することができる。
【００１１】
また、本発明によれば、情報提供装置は、キーの押圧力に基づいてストレス情報を生成することにより、キーの押圧力に応じてストレス度を判定することができる。
【００１２】
また、本発明に係る情報提供装置は、
ユーザのストレスに関するストレス情報を入力する入力部と、
前記ストレス情報の内容および入力履歴の少なくとも一方に応じてストレス度を判定する判定部と、
前記ストレス度に応じてストレスを緩和するストレス緩和情報を、画像および音声の少なくとも一方を用いて出力する出力部と、
を含み、
前記入力部は、
削除に関するキーが押される回数を測定する回数測定部と、
前記回数に基づき、前記ストレス情報を生成するストレス情報生成部と、
を含むことを特徴とする。
【００１３】
本発明によれば、情報提供装置は、特殊な装置を用いることなくユーザのストレス度を判定することができる上、ユーザのストレス度に応じてストレスを緩和するストレス緩和情報を出力することができるため、より効果的にユーザのストレスを緩和することができる。
【００１４】
また、本発明によれば、情報提供装置は、削除に関するキーが押される回数に基づいてストレス情報を生成することにより、削除キー等の押される回数に応じてストレス度を判定することができる。
【００１５】
また、本発明に係る情報提供装置は、
ユーザのストレスに関するストレス情報を入力する入力部と、
前記ストレス情報の内容および入力履歴の少なくとも一方に応じてストレス度を判定する判定部と、
前記ストレス度に応じてストレスを緩和するストレス緩和情報を、画像および音声の少なくとも一方を用いて出力する出力部と、
を含み、
前記入力部は、
ユーザの手の平または足裏と接触することによってツボごとの押圧力を測定するツボ押圧力測定部と、
前記押圧力に基づき、前記ストレス情報を生成するストレス情報生成部と、
を含むことを特徴とする。
【００１６】
本発明によれば、情報提供装置は、ユーザのストレス度に応じてストレスを緩和するストレス緩和情報を出力することができるため、より効果的にユーザのストレスを緩和することができる。
【００１７】
また、本発明によれば、情報提供装置は、ツボごとの押圧力に基づいてストレス情報を生成することにより、ツボごとの押圧力に応じてストレス度を判定することができる。
【００１８】
また、前記判定部は、前記ストレス情報の入力頻度が平均値よりも多い時間帯、前記入力頻度が最も多い時間帯、前記ストレス度が平均値よりも高い時間帯または前記ストレス度が最も高い時間帯であるストレス時間帯を判定するとともに、当該ストレス時間帯になったかどうか、あるいは、当該ストレス時間帯の直前になったかどうかを判定し、
前記出力部は、前記ストレス時間帯になった場合または前記ストレス時間帯の直前になった場合、前記ストレス緩和情報を出力してもよい。
【００１９】
これによれば、情報提供装置は、ストレス時間帯を判定することにより、ストレス時間帯になった場合等に自動的にストレス緩和情報を出力することができるため、より効果的にユーザのストレスを緩和することができる。
【００２０】
また、前記判定部は、前記ストレス情報の入力に関する値の合計値が基準値以上になったかどうかを判定し、
前記出力部は、当該判定の判定結果が真の場合に前記ストレス緩和情報を出力してもよい。
【００２１】
これによれば、情報提供装置は、ストレスの蓄積度合いに応じてストレス緩和情報を出力することができる。
【００２２】
また、前記入力部は、ユーザによって複数種のストレス緩和情報から選択されたストレス緩和情報を示す選択情報を入力し、
前記出力部は、前記選択情報に基づき、ユーザにとって好ましいストレス緩和情報を出力してもよい。
【００２３】
これによれば、情報提供装置は、ユーザにとって好ましいストレス緩和情報を出力することができるため、より効果的にストレスを緩和することができる。
【発明を実施するための最良の形態】
【００２４】
以下、本発明を種々の情報提供装置に適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２５】
（第１の実施例）
図１は、第１の実施例におけるＰＣ１００の外観図である。ユーザにストレス緩和情報を提供する情報提供装置の一種であるＰＣ１００は、入力部として機能するキーボードを有している。また、キーボードには基準となる基準キー（例えば、エンターキー等。全部のキーでもよい。）の裏面に押圧力を測定するパッドが設けられている。ＰＣ１００は、当該キーの押圧力を測定して押圧力に応じてストレス度を判定し、ストレス度に応じてストレスを緩和する情報をユーザに提供する。
【００２６】
次に、このような機能を有するＰＣ１００の機能ブロックについて説明する。図２は、第１の実施例におけるＰＣ１００の機能ブロック図である。ＰＣ１００は、ユーザのストレスに関するストレス情報を入力する入力部１１０と、記憶部１２０と、ストレス度を判定する処理部１３０と、ストレス度に応じてストレスを緩和するストレス緩和情報を、画像および音声の少なくとも一方を用いて出力する出力部１９０を含んで構成されている。
【００２７】
また、入力部１１０は、キーの押圧力を測定するキー押圧力測定部１１２と、押圧力に基づき、ストレス情報を生成するストレス情報生成部１１４を含んで構成されている。
【００２８】
また、記憶部１２０は、ストレス情報の入力履歴を示す入力履歴データ１２２、押圧力を平均化したデータを示す平均化データ１２４、ストレス緩和情報を生成するためのストレス緩和データ１２６、時間帯ごとのストレス度を示すストレス時間帯データ１２８等を記憶している。
【００２９】
また、処理部１３０は、ストレス情報の内容および入力履歴の少なくとも一方に応じてストレス度を判定する判定部１３２と、記憶部１２０内のデータを更新する更新部１３４と、タイマ部１３６を含んで構成されている。
【００３０】
また、出力部１９０は、ストレス緩和データ１２６に基づいてストレス緩和画像を表示する画像表示部１９２と、ストレス緩和データ１２６に基づいてストレス緩和音声を出力する音声出力部１９４を含んで構成されている。
【００３１】
なお、これらの各部の機能を実装するためのハードウェアとしては、例えば、以下のものが採用されてもよい。例えば、キー押圧力測定部１１２としては感圧パッド等、ストレス情報生成部１１４、処理部１３０としてはＣＰＵ等、記憶部１２０としてはＨＤＤ等、画像表示部１９２としては画像処理回路、液晶モニタ等、音声出力部１９４としては音声処理回路、スピーカ等が採用されてもよい。
【００３２】
次に、これらの各部を用いたストレス情報の入力からストレス緩和情報の出力までの処理の流れについて説明する。図３は、第１の実施例における処理手順を示すフローチャートである。
【００３３】
キー押圧力測定部１１２は、基準キーが押された場合に押圧力を測定する（ステップＳ１）。ストレス情報生成部１１４は、当該押圧力を示すストレス情報を生成する（ステップＳ２）。
【００３４】
更新部１３４は、ストレス情報と、タイマ部１３６からのタイマ値に基づき、入力履歴データ１２２を更新する（ステップＳ３）。なお、入力履歴データ１２２は、例えば、いわゆるログデータであり、記憶日時順に押圧力を示すデータである。
【００３５】
判定部１３２は、タイマ部１３６からのタイマ値に基づき、基準時刻になったかどうかを判定する（ステップＳ４）。なお、基準時刻としては、例えば、毎時０分（１０時０分、１１時０分等）等が該当する。
【００３６】
基準時刻になった場合、更新部１３４は、入力履歴データ１２２に基づき、平均化データ１２４を更新する（ステップＳ５）。例えば、基準時刻が１時間ごとに設定されている場合、更新部１３４は、最新の１時間で追加された入力履歴データ１２２に基づき、１時間分の平均化データ１２４を更新する。より具体的には、例えば、１１時０分になった場合、当該日の１０時０分０秒から１０時５９分５９秒までに追加された入力履歴データ１２２で示される押圧力の値と、平均化データ１２４で示される１０時の平均押圧力の値から新たな平均押圧力を演算し、当該平均押圧力を新たな１０時の平均押圧力として平均化データ１２４を更新する。
【００３７】
また、更新部１３４は、平均化データ１２４に基づき、ストレス時間帯データ１２８を更新する（ステップＳ６）。例えば、１６時の平均押圧力が最も高い場合、更新部１３４は、ストレス時間帯が１６時であることを示すようにストレス時間帯データ１２８を更新する。
【００３８】
判定部１３２は、タイマ部１３６からのタイマ値と、ストレス時間帯データ１２８に基づき、ストレス時間帯になったかどうかを判定する（ステップＳ７）。例えば、ストレス時間帯データ１２８が、ストレス時間帯が１６時であることを示している場合、判定部１３２は、１６時になった場合にストレス時間帯になったと判定する。
【００３９】
ストレス時間帯になった場合、画像表示部１９２は、ストレス緩和データ１２６に基づき、ストレス緩和画像（例えば、森林の画像、ペットの画像、キャラクタの画像等）を表示し、音声出力部１９４は、ストレス緩和データ１２６に基づき、ストレス緩和音声（例えば、波の音、ペットの鳴き声、キャラクタがユーザを励ます音声等）を出力する（ステップＳ８）。
【００４０】
判定部１３２は、ＰＣ１００の電源オフ等によって処理を終了すべきかどうかを判定し（ステップＳ９）、ＰＣ１００は、処理（ステップＳ１〜Ｓ９）を終了すべきでない場合は処理を続行し、処理を終了すべき場合は処理を終了する。
【００４１】
以上のように、本実施例によれば、ＰＣ１００は、ストレス時間帯を判定することにより、ストレス時間帯になった場合に自動的にストレス緩和情報を出力することができるため、より効果的にユーザのストレスを緩和することができる。
【００４２】
また、本実施例によれば、ＰＣ１００は、キーの押圧力に基づいてストレス情報を生成することにより、キーの押圧力に応じてストレス度を判定することができる。さらに、本実施例によれば、ＰＣ１００は、ストレス情報の入力履歴データ１２２に基づいてストレス時間帯を決定することができる。
【００４３】
また、本実施例によれば、ＰＣ１００は、ユーザの心拍数の計測装置等の特殊な装置を用いることなく、ユーザの日常生活の作業において、自然にストレス度を判定することができるため、ストレス度の測定や判定によってユーザにストレスを与えなくて済む。これにより、ＰＣ１００は、より効果的にユーザのストレスを緩和することができる。
【００４４】
（第２の実施例）
第１の実施例では、ＰＣ１００は、基準キーの押圧力を測定してストレス情報を生成したが、削除キーが押される回数を測定してストレス情報を生成してもよい。
【００４５】
図４は、第２の実施例におけるＰＣ１０１の機能ブロック図である。情報提供装置の一種であるＰＣ１０１は、ユーザのストレスに関するストレス情報を入力する入力部１１０と、記憶部１２０と、ストレス度を判定する処理部１３０と、ストレス度に応じてストレスを緩和するストレス緩和情報を、画像および音声の少なくとも一方を用いて出力する出力部１９０を含んで構成されている。
【００４６】
また、入力部１１０は、削除キー（例えば、Deleteキー、Back spaceキー、携帯電話におけるクリアキー等）が押される回数を測定する回数測定部１１６と、当該回数を示すストレス情報を生成するストレス情報生成部１１５を含んで構成されている。
【００４７】
また、記憶部１２０、処理部１３０、出力部１９０の構成は、第１の実施例と同様であるため説明を省略する。
【００４８】
次に、回数測定部１１６等を用いた処理手順について説明する。図５は、第２の実施例における処理手順を示すフローチャートである。
【００４９】
画像表示部１９２は、ストレス緩和データ１２６に基づき、複数種のストレス緩和画像を順に表示し、ユーザに１種類のストレス緩和画像を選択させる（ステップＳ１１）。入力部１１０は、ユーザのストレス緩和画像の選択を示す選択情報を入力し、判定部１３２は、当該選択情報に基づき、ユーザがどのストレス緩和画像を選択したかを判定する。
【００５０】
回数測定部１１６は、タイマ部１３６のタイマ値と削除キーの押圧回数に基づき、１０分間の削除キーの押圧回数を測定する（ステップＳ１２）。ストレス情報生成部１１５は、当該押圧回数を示すストレス情報を生成する（ステップＳ１３）。
【００５１】
更新部１３４は、ストレス情報と、タイマ部１３６からのタイマ値に基づき、入力履歴データ１２２を更新する（ステップＳ１４）。また、更新部１３４は、入力履歴データ１２２に基づき、平均化データ１２４を更新する（ステップＳ１５）。例えば、平均化データ１２４は、１０分間ごとの平均押圧回数を示す。
【００５２】
判定部１３２は、平均化データ１２４に基づき、最新の１０分間の押圧回数が基準値（例えば、１０回、１０分間の押圧回数の平均値を１．５倍した値等）以上かどうかを判定する（ステップＳ１６）。
【００５３】
最新の１０分間の押圧回数が基準値以上の場合、画像表示部１９２は、ユーザが選択した種類のストレス緩和データ１２６に基づき、ストレス緩和画像を表示し、音声出力部１９４は、ユーザが選択した種類のストレス緩和データ１２６に基づき、ストレス緩和音声を出力する（ステップＳ１７）。
【００５４】
判定部１３２は、ＰＣ１０１の電源オフ等によって処理を終了すべきかどうかを判定し（ステップＳ１８）、ＰＣ１０１は、処理（ステップＳ１１〜Ｓ１８）を終了すべきでない場合は処理を続行し、処理を終了すべき場合は処理を終了する。
【００５５】
以上のように、本実施例によれば、ＰＣ１０１は、削除キーの押される回数に基づいてストレス情報を生成することにより、削除キーの押される回数に応じてストレス度を判定することができる。
【００５６】
また、本実施例によれば、ＰＣ１０１は、ユーザにとって好ましいストレス緩和情報を出力することができるため、より効果的にストレスを緩和することができる。
【００５７】
さらに、本実施例によれば、ＰＣ１０１は、平均化データ１２４を用いることにより、基準値等としてユーザの１０分間の押圧回数の平均値を１．５倍した値、ユーザの押圧力の平均値等を適用することができ、ユーザに応じた基準で判定等を行うことができるため、ストレス緩和効果をより高めることができる。
【００５８】
また、本実施例によれば、ＰＣ１０１は、ユーザの心拍数の計測装置等の特殊な装置を用いることなく、ユーザの日常生活の作業において、自然にストレス度を判定することができるため、ストレス度の測定や判定によってユーザにストレスを与えなくて済む。これにより、ＰＣ１０１は、より効果的にユーザのストレスを緩和することができる。
【００５９】
（第３の実施例）
情報提供装置は、ＰＣ１００、１０１には限定されず、例えば、携帯電話であってもよい。図６は、第３の実施例における携帯電話２００の外観図である。携帯電話２００は、複数の凸部を有する緩衝材、いわゆる「ぷちぷち」の画像を表示し、ユーザが携帯電話２００のキーを指で押すことによって当該キーに対応した凸部をつぶす画像を表示する。
【００６０】
図７は、第３の実施例における携帯電話２００の機能ブロック図である。携帯電話２００は、ユーザのストレスに関するストレス情報を入力する入力部２１０と、記憶部２２０と、ストレス度を判定する処理部２３０と、ストレス度に応じてストレスを緩和するストレス緩和情報を、画像および音声の少なくとも一方を用いて出力する出力部２９０を含んで構成されている。
【００６１】
また、入力部２１０は、キーの押圧力を測定するキー押圧力測定部２１２と、押圧力に基づき、ストレス情報を生成するストレス情報生成部２１４を含んで構成されている。
【００６２】
また、記憶部２２０は、ストレス情報の入力履歴を示す入力履歴データ２２２、押圧力を平均化したデータを示す平均化データ２２４、ストレス緩和情報を生成するためのストレス緩和データ２２６、時間帯ごとのストレス度を示すストレス時間帯データ２２８等を記憶している。
【００６３】
また、処理部２３０は、ストレス情報の内容および入力履歴の少なくとも一方に応じてストレス度を判定する判定部２３２と、記憶部２２０内のデータを更新する更新部２３４と、タイマ部２３６を含んで構成されている。
【００６４】
また、出力部２９０は、ストレス緩和データ２２６に基づいてストレス緩和画像を表示する画像表示部２９２と、ストレス緩和データ２２６に基づいてストレス緩和音声を出力する音声出力部２９４を含んで構成されている。
【００６５】
次に、これらの各部を用いたストレス情報の入力からストレス緩和情報の出力までの処理の流れについて説明する。図８は、第３の実施例における処理手順を示すフローチャートである。
【００６６】
キー押圧力測定部２１２は、キーが押された場合に押圧力を測定する（ステップＳ２１）。ストレス情報生成部２１４は、当該押圧力を示すストレス情報を生成する（ステップＳ２２）。
【００６７】
更新部２３４は、ストレス情報と、タイマ部２３６からのタイマ値に基づき、入力履歴データ２２２を更新する（ステップＳ２３）。また、更新部２３４は、入力履歴データ２２２に基づき、平均化データ２２４を更新する（ステップＳ２４）。
【００６８】
判定部２３２は、平均化データ２２４に基づき、最新のストレス度（例えば、直前の１０回分の押圧力の平均値等）が高基準値（例えば、押圧可能最大値の９０％、ユーザの押圧力の最大値の９０％等）を超えているかどうかを判定する（ステップＳ２５）。最新のストレス度が高基準値を超えている場合、画像表示部２９２は、ストレス度が高基準値を超えている場合のストレス緩和データ１２６に基づき、具体的なアドバイス（例えば、１０分間休憩してください等）を示すストレス緩和画像を表示し、音声出力部１９４は、ストレス度が高基準値を超えている場合のストレス緩和データ１２６に基づき、具体的なアドバイスを示すストレス緩和音声を出力する（ステップＳ２６）。
【００６９】
また、判定部２３２は、最新のストレス度が高基準値を超えていない場合、平均化データ２２４に基づき、最新のストレス度が中基準値（例えば、押圧可能最大値の７０％、ユーザの押圧力の最大値の７０％等）を超えているかどうかを判定する（ステップＳ２７）。最新のストレス度が中基準値を超えている場合、画像表示部２９２は、ストレス度が中基準値を超えている場合のストレス緩和データ１２６に基づき、通常のストレス緩和画像（例えば、浜辺の風景等）を表示し、音声出力部１９４は、ストレス度が中基準値を超えている場合のストレス緩和データ１２６に基づき、通常のストレス緩和音声（例えば、波の音等）を出力する（ステップＳ２８）。
【００７０】
また、判定部２３２は、最新のストレス度が中基準値を超えていない場合、平均化データ２２４に基づき、最新のストレス度が低基準値（例えば、押圧可能最大値の５０％、ユーザの押圧力の最大値の５０％等）を超えているかどうかを判定する（ステップＳ２９）。最新のストレス度が低基準値を超えている場合、出力部２９０は、ストレス度が低基準値を超えている場合のストレス緩和データ１２６に基づき、ストレス緩和画像（例えば、浜辺の風景等）のみを出力する（ステップＳ３０）。
【００７１】
判定部２３２は、携帯電話２００の電源オフ等によって処理を終了すべきかどうかを判定し（ステップＳ３１）、携帯電話２００は、処理（ステップＳ２１〜Ｓ３１）を終了すべきでない場合は処理を続行し、処理を終了すべき場合は処理を終了する。
【００７２】
以上のように、本実施例によれば、携帯電話２００は、ユーザのストレス度に応じてストレスを緩和するストレス緩和情報を出力することができるため、より効果的にユーザのストレスを緩和することができる。
【００７３】
また、本実施例によれば、携帯電話２００は、キーの押圧力に基づいてストレス情報を生成することにより、キーの押圧力に応じてストレス度を判定することができる。
【００７４】
また、本実施例によれば、携帯電話２００は、ユーザの心拍数の計測装置等の特殊な装置を用いることなく、ユーザの日常生活の作業において、自然にストレス度を判定することができるため、ストレス度の測定や判定によってユーザにストレスを与えなくて済む。これにより、携帯電話２００は、より効果的にユーザのストレスを緩和することができる。
【００７５】
（第４の実施例）
上述した実施例では、単体の情報提供装置であったが、情報提供装置の機能は複数の装置に分散されてもよい。図９は、第４の実施例における入力装置３００とＰＣ１０２の外観図である。
【００７６】
例えば、入力装置３００は、図９に示すように、凹凸が形成されており、各凹部に各指を固定することによって手の位置を固定できるように形成されている。また、手の位置が固定した状態で手の平の各ツボが当たる位置に凸状の圧力検出部が設けられている。
【００７７】
図１０は、第４の実施例における入力装置３００とＰＣ１０２の機能ブロック図である。情報提供装置の一部である入力装置３００は、上記凸状の圧力検出部を有するツボ押圧力測定部３１２と、ツボごとの押圧力に基づき、ストレス情報を生成するストレス情報生成部３１４を含んで構成されている。
【００７８】
また、情報提供装置の一部であるＰＣ１０２は、入力装置３００からストレス情報を入力する入力部１１１と、記憶部１２０と、処理部１３０と、出力部１９０を含んで構成されている。記憶部１２０、処理部１３０、出力部１９０は第１の実施例と同様であるため、説明を省略する。
【００７９】
例えば、判定部１３２は、ツボごとの押圧力に基づき、ツボごとのストレス度を判定し、出力部１９０は、ストレス度が高いツボや当該ツボに応じた部位を示すストレス緩和情報（例えば、肝臓にストレスがかかっている等）を出力する。
【００８０】
以上のように、本実施例によれば、ＰＣ１０２は、手のツボごとの押圧力に基づいてストレス情報を生成することにより、ツボごとの押圧力に応じてストレス度を判定することができる。
【００８１】
（第５の実施例）
また、情報提供装置の機能を複数の装置に分散する場合、各装置が異なる場所に配置されてもよい。図１１は、第５の実施例におけるサーバ４００とＰＣ１０３の機能ブロック図である。
【００８２】
情報提供装置の一部として機能するサーバ４００は、入力履歴データ４２２、ストレス緩和データ４２６等を記憶する記憶部４２０と、処理部４３０と、ＰＣ１０３と通信を行う通信部４８０を含んで構成されている。また、処理部４３０は、判定部４３２と、更新部４３４と、タイマ部４３６と、情報生成部４３８を含んで構成されている。
【００８３】
また、情報提供装置の一部として機能するＰＣ１０３は、回数測定部１１６、ストレス情報生成部１１５を有する入力部１１０と、処理部１３１と、サーバ４００と通信を行う通信部１８０と、画像表示部１９２、音声出力部１９４を有する出力部１９０を含んで構成されている。
【００８４】
なお、実際には、ＰＣ１０３と、サーバ４００は、異なる場所に配置され、インターネット等のネットワークを介して接続されている。また、ＰＣ１０３は、複数台設けられてもよく、サーバ４００は、複数台分の入力履歴を入力履歴データ４２２に記憶してもよい。
【００８５】
次に、ＰＣ１０３とサーバ４００における処理の流れについて説明する。図１２は、第５の実施例における処理手順を示すフローチャートである。
【００８６】
回数測定部１１６は、１０分間の削除キーの押圧回数を測定する（ステップＳ１２）。ストレス情報生成部１１５は、当該押圧回数を示すストレス情報を生成する（ステップＳ１３）。通信部１８０は、当該ストレス情報をサーバ４００へ向け送信する（ステップＳ４１）。
【００８７】
サーバ４００の通信部４８０は、当該ストレス情報を受信する（ステップＴ１）。更新部４３４は、ストレス情報と、タイマ部４３６からのタイマ値に基づき、入力履歴データ４２２を更新する（ステップＴ２）。なお、入力履歴データ４２２は、例えば、ユーザごとかつ１０分ごとの削除キーの押圧回数を示すデータである。
【００８８】
判定部４３２は、入力履歴データ４２２に基づき、１日の総押圧回数（削除キーの押圧回数の合計値）が基準値（例えば、５００等）以上かどうかを判定する（ステップＴ３）。
【００８９】
ステップＴ３の判定結果が真の場合、情報生成部４３８は、ストレス緩和データ４２６に基づき、ストレス緩和画像を表示し、かつ、ストレス緩和音声を出力するためのストレス緩和情報（画像情報および音声情報）を生成し、通信部４８０は、当該ストレス緩和情報を携帯電話１０３へ向け送信する（ステップＴ４）。
【００９０】
通信部１８０は、当該ストレス緩和情報を受信する（ステップＳ４２）。画像表示部１９２は、当該ストレス緩和情報に含まれる画像情報に基づき、ストレス緩和画像を表示し、音声出力部１９４は、当該ストレス緩和情報に含まれる音声情報に基づき、ストレス緩和音声を出力する（ステップＳ４３）。
【００９１】
処理部１３１は、ＰＣ１０３の電源オフ等によって処理を終了すべきかどうかを判定し（ステップＳ４４）、ＰＣ１０３は、処理を終了すべきでない場合は処理を続行し、処理を終了すべき場合は処理を終了する。
【００９２】
以上のように、本実施例によれば、サーバ４００は、ストレスの蓄積度合いに応じてストレス緩和情報を出力することができる。
【００９３】
（その他の実施例）
なお、本発明の適用は上述した実施例に限定されず、種々の変形が可能である。例えば、判定部１３２等が、ストレス度を判定する際に、温度計で測定した温度、湿度計で測定した湿度等を含めて判定してもよい。また、温度計や湿度計は情報提供装置の外部に設けられてもよいし、情報提供装置の内部（例えば、入力装置３００で手の平の当たる部分等）に設けられてもよい。
【００９４】
また、情報提供装置の機能を分散する場合、各装置をオンラインで接続しなくてもよい。例えば、ストレス情報を記憶する人形とＰＣ１０２で情報提供装置を構成する場合、人形内のＵＳＢメモリにストレス情報を記憶しておき、当該ＵＳＢメモリをＰＣ１０２に接続してストレス情報をＰＣ１０２に入力してもよい。また、このような人形に視線センサを内蔵してユーザが人形を見つめた場合に当該人形が手を振ったり、ウインクしたりする等の動作を行ってもよい。
【００９５】
また、ツボ押圧力測定部３１２は、第４の実施例のようにユーザの手の平のツボごとの押圧力を測定する装置には限定されず、例えば、スリッパ、体重計、青竹踏み（半分に割った竹に似た形状で、踏み込まれることによって足の裏にあるツボを刺激するもの）等に設けられ、ユーザの足裏と接触することによってツボごとの押圧力を測定する装置であってもよい。
【００９６】
また、判定部１３２等によるストレス度の判定手法は、ストレス情報の内容と入力履歴データ１２２の両方に基づく手法（例えば、１０分間に削除キーを押した回数が基準値を超えたかどうかを判定する手法等）、ストレス情報の内容のみに基づく手法（例えば、最新のキーの押圧力が基準値を超えたかどうかを判定する手法等）、入力履歴データ１２２のみに基づく手法（例えば、ユーザがストレス緩和操作を行った履歴に基づいてストレス度の高い時間帯を判定する手法等）のいずれでもよい。
【００９７】
また、出力部１９０は、ストレス時間帯の直前（例えば、１０分前、１分前等）になった場合に、ストレス緩和情報を出力してもよい。また、ストレス緩和情報には病院の情報、薬の情報等の広告情報が含まれてもよい。
【００９８】
また、ストレス情報の入力に関する値の合計値は、第５の実施例の１日当たりの削除キーの押圧回数の合計値には限定されず、例えば、３０分当たりのキーの押圧力の合計値、労働時間の累積値等であってもよい。
【００９９】
また、サーバ４００は、複数のユーザのストレス情報をストレス緩和データ４２６で管理する場合、全ユーザのストレス度の平均値、会社ごとのストレス度の平均値、家庭ごとのストレス度の平均値等を基準値としたり、基準値と比較する値としたりしてもよい。
【０１００】
また、情報提供装置は、ＰＣ１００〜１０３、携帯電話２００、入力装置３００には限定されず、例えば、ゲーム装置、テレビ等であってもよい。
【図面の簡単な説明】
【０１０１】
【図１】第１の実施例におけるＰＣの外観図である。
【図２】第１の実施例におけるＰＣの機能ブロック図である。
【図３】第１の実施例における処理手順を示すフローチャートである。
【図４】第２の実施例におけるＰＣの機能ブロック図である。
【図５】第２の実施例における処理手順を示すフローチャートである。
【図６】第３の実施例における携帯電話の外観図である。
【図７】第３の実施例における携帯電話の機能ブロック図である。
【図８】第３の実施例における処理手順を示すフローチャートである。
【図９】第４の実施例における入力装置とＰＣの外観図である。
【図１０】第４の実施例における入力装置とＰＣの機能ブロック図である。
【図１１】第５の実施例におけるサーバとＰＣの機能ブロック図である。
【図１２】第５の実施例における処理手順を示すフローチャートである。
【符号の説明】
【０１０２】
１００〜１０３  ＰＣ（情報提供装置）
１１０、１１１、２１０  入力部
１１２、２１２  キー押圧力測定部
１１４、１１５、２１４、３１４  ストレス情報生成部
１１６  回数測定部
１３２、２３２、４３２  判定部
１３４、２３４、４３４  更新部
１３６、２３６、４３６  タイマ部
１９０、２９０  出力部
３００  入力装置（情報提供装置）
３１２  ツボ押圧力測定部
４００  サーバ（情報提供装置）
【図１】
2010017451.tif 000003
【図２】
2010017451.tif 000004
【図３】
2010017451.tif 000005
【図４】
2010017451.tif 000006
【図５】
2010017451.tif 000007
【図６】
2010017451.tif 000008
【図７】
2010017451.tif 000009
【図８】
2010017451.tif 000010
【図９】
2010017451.tif 000011
【図１０】
2010017451.tif 000012
【図１１】
2010017451.tif 000013
【図１２】
2010017451.tif 000014